(57)【要約】【課題】本発明の課題は、回路構成を複雑にすることなくユーザ宅側のメディアコンバータの電源断状態を検出できるメディアコンバータを提供することである。【解決手段】上記課題は、電源電圧を安定化して各回路ブロックに供給するレギュレータと、回線品質、機器障害、電源状態等を監視する監視手段から出力される情報を基に保守信号を生成し、その生成された保守信号を相手先に光ファイバを介して通知する保守信号生成・通知手段とを備えるメディアコンバータであって、前記レギュレータの入力電圧を監視し、電源断に至る入力電圧の低下を検出する電圧検出手段と、前記電圧検出手段により、電源断に至る入力電圧の低下を検出したときに、その検出結果を前記相手先に通知するためのフレームを生成する電源断警報信号生成手段とを備えることを特徴とするメディアコンバータにて解決される。【選択図】  図１
2004357488.tif 000002
【特許請求の範囲】
【請求項１】
電源電圧を安定化して各回路ブロックに供給するレギュレータと、装置状態等を監視する監視手段から出力される情報を基に保守信号を生成し、その生成された保守信号を相手先に光ファイバを介して通知する保守信号生成・通知手段とを備えるメディアコンバータであって、
前記レギュレータの入力電圧を監視し、装置の異常状態に至る入力電圧の低下を検出する電圧検出手段と、
前記電圧検出手段により、装置の異常状態に至る入力電圧の低下を検出したときに、その検出結果を前記相手先に通知するためのフレームを生成する電源断警報信号生成手段とを備えることを特徴とするメディアコンバータ。
【請求項２】
請求項１記載のメディアコンバータであって、
前記電圧検出手段は、
前記レギュレータの入力電圧を監視し、第１の所定電圧以下に低下したことを検出してリセット信号を発生するリセット信号発生手段と、
前記リセット信号を発生してから一定時間レギュレータ電圧を保持するレギュレータ電圧保持手段とを備えることを特徴とするメディアコンバータ。
【請求項３】
請求項２記載のメディアコンバータであって、
前記レギュレータ電圧保持手段は、
前記第１の所定電圧から、該第１の所定電圧よりも低く前記レギュレータ電圧よりも高い第２の所定電圧に降下するまでの時間、前記リセット信号発生手段により発生されるレギュレータ電圧を保持することを特徴とするメディアコンバータ。
【請求項４】
請求項３記載のメディアコンバータであって、
前記レギュレータ電圧保持手段は、
前記レギュレータの入力端子に接続されるコンデンサの容量値に基づいて前記第１の所定電圧よりも低く前記レギュレータ電圧よりも高い第２の所定電圧に降下するまでの時間を設定することを特徴とするメディアコンバータ。
【請求項５】
請求項２記載のメディアコンバータであって、
前記レギュレータ電圧保持手段は、前記第１の所定電圧と前記第２の所定電圧を可変することにより、前記レギュレータ電圧の保持時間を設定することを特徴とするメディアコンバータ。
【請求項６】
請求項１乃至５いずれか記載のメディアコンバータであって、
前記電源断警報信号生成手段は、異常状態を示す情報フレーム上に構成するフレーム生成手段を備え、
前記保守信号生成・通知手段は、前記レギュレータ電圧保持手段により、レギュレータ電圧が保持されている間に、前記生成されたフレームを保守信号に挿入して保守信号の前記相手先への通知を完了する異常状態通知手段を備えたことを特徴とするメディアコンバータ。
【請求項７】
請求項６記載のメディアコンバータであって、
前記保守信号生成・通知手段は、前記レギュレータ電圧保持手段により、レギュレータ電圧が保持されている間に、前記保守信号を繰り返し送信する制御をさらに行なう保守信号通知制御手段を備えることを特徴とするメディアコンバータ。
【請求項８】
内部回路用の動作電源を生成するためのレギュレータと、装置状態等を監視する監視手段から出力される情報を基に保守信号を生成し、その生成された保守信号を相手先に光ファイバを介して通知する保守信号生成・通知手段とを備えるメディアコンバータにおける電源断状態検出方法であって、
前記レギュレータの入力電圧を監視し、電源断に至る入力電圧の低下を検出したときに、その検出結果を前記相手先に通知するための保守信号を生成することを特徴とする電源断状態検出方法。
【請求項９】
請求項８記載の電源断状態検知方法であって、
前記レギュレータの入力電圧を監視し、第１の所定電圧以下に低下したことを検出してリセット信号を発生し、
前記第１の所定電圧から、該第１の所定電圧よりも低く前記レギュレータ電圧よりも高い第２の所定電圧に降下するまでの時間、前記発生されるレギュレータ電圧を保持し、
そのレギュレータ電圧の保持期間内に前記生成されたフレームを保守信号に挿入して通知を完了することを特徴とする電源断状態検知方法。
【発明の詳細な説明】
【０００１】
【発明の属する技術分野】
本発明は、メディアコンバータ及びその電源断状態検出方法に関する。
【従来の技術】
近年、高速通信サ−ビスへの需要が高まり、光ファイバを利用して高速インターネットや広域ＬＡＮサービスを提供するメディアコンバータが注目されている。このメディアコンバータは、信号（電気）を光信号に変換し、光波長多重技術を用いることで、１本の光ファイバで最大２０ｋｍ程度までの双方向伝送が可能となっている。
【０００２】
また、一心方式で保守機能を有する端末側とセンタ側のメディアコンバータ（回線終端装置）の間の光インタフェースの仕様については、社団法人情報通信技術委員会（ＴＴＣ）にて定められている（非特許文献１参照）。この仕様書では、光インタフェースの物理条件の他に保守信号について規定されており、この保守信号を利用することで、メディアコンバータの遠隔監視・制御が可能となっている。
【０００３】
【非特許文献１】
ＴＳ−１０００「光加入者線インタフェース  −１００Ｍｂｉｔ／ｓ一心ＷＤＭ方式−」
【０００４】
【発明が解決しようとする課題】
上述したメディアコンバータは、一般にセンタ側の集合型メディアコンバータとユーザ宅側のメディアコンバータとで構成される場合が多く、センタ側から、ユーザ宅側のメディアコンバータの状態（回線状態、機器障害、電源状態等）を遠隔監視できるようになっている。具体的には、センタ側から、ユーザ宅側のメディアコンバータの状態（回線状態、機器障害、電源状態等）を確認するためのコマンドが上記ユーザ宅側のメディアコンバータに送られ、ユーザ宅側のメディアコンバータから状態を示す応答が返信される仕組みと、ユーザ宅内側の状態変化に伴い端末側からセンタ側へ状態を示す信号が送信される仕組みとからなっている。上記要求と応答は“保守信号”という信号を用いてやりとりされる。
【０００５】
ところで、ユーザ宅側のメディアコンバータの電源に何らかの異常、例えば、電源断が発生した場合、電源が断となったことを示す警報情報を載せる保守フレームが生成されず保守信号そのものを送出することができないという問題があった。従って、センタ側では、電源断状態となったことを認識できないという問題があった。
【０００６】
そこで、このような問題を解決するために、二次電池等の電圧チャージ回路で構成される電源ユニットを別に設け、電源断による電源ＯＦＦ状態をその別の電源ユニットで検出し、電源断状態を示すメッセージを保守信号に載せてセンタ側に通知する方法がとられる場合がある。
【０００７】
しかし、上述した従来の方法では、外部に新たな電源ユニットを設けなくてはならず、回路構成が複雑になるという問題があった。
【０００８】
本発明は、上記のような問題点に鑑みてなされたもので、その課題とするところは、回路構成を複雑にすることなくユーザ宅側のメディアコンバータの電源断状態を検出できるメディアコンバータ及びその電源断状態検出方法に関する。
【０００９】
【課題を解決するための手段】
上記課題を解決するため、本発明は、請求項１に記載されるように、電源電圧を安定化して各回路ブロックに供給するレギュレータと、装置状態等を監視する監視手段から出力される情報を基に保守信号を生成し、その生成された保守信号を相手先に光ファイバを介して通知する保守信号生成・通知手段とを備えるメディアコンバータであって、前記レギュレータの入力電圧を監視し、装置の異常状態に至る入力電圧の低下を検出する電圧検出手段と、前記電圧検出手段により、装置の異常状態に至る入力電圧の低下を検出したときに、その検出結果を前記相手先に通知するためのフレームを生成する電源断警報信号生成手段とを備えることを特徴としている。
【００１０】
また、本発明の請求項２は、前記のメディアコンバータであって、前記電圧検出手段は、前記レギュレータの入力電圧を監視し、第１の所定電圧以下に低下したことを検出してリセット信号を発生するリセット信号発生手段と、前記リセット信号を発生してから一定時間レギュレータ電圧を保持するレギュレータ電圧保持手段とを備えることを特徴としている。
【００１１】
また、本発明の請求項３は、前記メディアコンバータであって、前記レギュレータ電圧保持手段は、前記第１の所定電圧から、該第１の所定電圧よりも低く前記レギュレータ電圧よりも高い第２の所定電圧に降下するまでの時間、前記リセット信号発生手段により発生されるレギュレータ電圧を保持することを特徴としている。
【００１２】
また、本発明の請求項４は、前記メディアコンバータであって、前記レギュレータ電圧保持手段は、前記レギュレータの入力端子に接続されるコンデンサの容量値に基づいて前記第１の所定電圧よりも低く前記レギュレータ電圧よりも高い第２の所定電圧に降下するまでの時間を設定することを特徴としている。
【００１３】
また、本発明の請求項５は、前記メディアコンバータであって、前記レギュレータ電圧保持手段は、前記第１の所定電圧と前記第２の所定電圧を可変することにより、前記レギュレータ電圧の保持時間を設定することを特徴としている。
【００１４】
また、本発明の請求項６は、前記メディアコンバータであって、前記電源断警報信号生成手段は、異常状態を示す情報フレーム上に構成するフレーム生成手段を備え、前記保守信号生成・通知手段は、前記レギュレータ電圧保持手段により、レギュレータ電圧が保持されている間に、前記生成されたフレームを保守信号に挿入して保守信号の前記相手先への通知を完了する異常状態通知手段を備えたことを特徴としている。
【００１５】
また、本発明の請求項７は、前記メディアコンバータであって、前記保守信号生成・通知手段は、前記レギュレータ電圧保持手段により、レギュレータ電圧が保持されている間に、前記保守信号を繰り返し送信する制御をさらに行なう保守信号通知制御手段を備えることを特徴としている。
【００１６】
上記本発明によれば、レギュレータに供給される入力電圧を監視し、電源断に至る入力電圧の低下を検出したときに、その検出結果を保守信号にて相手先となるセンタに通知するようにしたため、センタにおいて電源のＯＮ→断状態の遷移を的確に知ることができ、誤判断を回避することができる。
【００１７】
【発明の実施の形態】
以下、本発明の実施の形態を図面に基づいて説明する。
【００１８】
本発明の実施の一形態に係る電源断状態検出方法が適用されるメディアコンバータは、例えば、図１に示すように構成される。
【００１９】
図１において、このメディアコンバータは、主電源からの所定の直流電圧（この例では、ＤＣ４Ｖ）を、メディアコンバータ回路部４の電源電圧に変換して供給するレギュレータＩＣ（以下、レギュレータという）１と、レギュレータ１への入力電圧を検出し、基準の電圧（以下第１の基準電圧という）以下の場合はリセット信号を出力するリセットＩＣ２と、上記リセット信号に基づく警報情報を所定の保守信号用のフレームに載せる処理を行なう制御ＩＣ３と、光インタフェースの物理レイヤ処理回路等を備えたメディアコンバータ回路部４、第１の基準電圧から第２の基準電圧に低下するまでの時間を設定するコンデンサＣ１、入力保護用のヒューズ（ＦＵＳＥ）５から構成される。
【００２０】
上記メディアコンバータ回路部４には、センタ側との通信（アップリンク）を行なうための通信部Ａ１０と、パーソナルコンピュータ（ＰＣ）側との通信を行なう通信部Ｂ１１がさらに備えられる。ここでは、ユーザ宅等に収容されるメディアコンバータを例にとり説明するため、通信部Ａ１０では、保守信号（電気信号）が光信号に変換されてセンタに送信され、通信部Ｂ１１では、センタから送られてきた光信号を電気信号に変換してＰＣ等に出力する。なお、この例では、通信部Ａ１０と通信部Ｂ１１が別構成となっているが同一構成であっても勿論かまわない。
【００２１】
上記のように構成されたメディアコンバータについて以下に動作を説明する。この例では、リセットＩＣ２でのレギュレータ１入力の検出電圧（以下、リセット電圧という）を第１の基準電圧ＲＥＴ＿Ｖ（ＤＣ３．８Ｖ）と定義し、レギュレータ１電圧（ＤＣ３．３Ｖ）より高い値に設定されているものとする。また、第２の基準電圧ＲＥＧ＿Ｖをレギュレータ電圧（ＤＣ３．３Ｖ）とする。
【００２２】
まず、通常動作時においては、外部から入力されるＤＣ電源（ＤＣ４Ｖ）をレギュレータ１がＤＣ３．３Ｖに降圧し、メディアコンバータ回路部４の各回路へ安定し供給している。
【００２３】
リセットＩＣ２は、レギュレータ１への供給電圧、すなわち入力電圧を監視し、その電圧が予め定められている基準電圧（本例の場合、第１の基準電圧ＲＥＴ＿Ｖ（ＤＣ３．８Ｖ））に到達すると、出力をＬレベル（リセットレベルである０Ｖ）にしてリセット信号を制御ＩＣ３に出力する。制御ＩＣ３は、リセットＩＣ２からのリセット信号が入力すると、レギュレータ１の入力電圧が第１の基準電圧ＲＥＴ＿Ｖまで低下したことを示す警報データを保守フレーム処理手段に送信して、保守信号の物理チャネルなどのフレームに載せる。このようにしてフレーム化された保守信号は、メディアコンバータ回路部４の通信部Ａ１０に送られ、センタに送信するための送信処理が施される。通信部Ａ１０は、受け取った保守信号（電気信号）を光ファイバにて伝送するための光信号に変換してセンタに送信する。これにより、センタ側では、送られてきた保守信号に含まれる警報データから、ユーザ宅側のメディアコンバータの電源断状態を検知することが可能となる。
【００２４】
上述の如く、上記リセットＩＣ２は、レギュレータ１の入力電圧を監視し、第１の基準電圧値ＲＥＴ＿Ｖに到達した時点でリセット信号を制御ＩＣ３に出力し、第１の基準電圧値以上の場合は、リセット信号の送出を停止（リセット解除）するものである。
【００２５】
電源断状態をより確実にセンタに伝えるためには、レギュレータ１の電圧が規定の電圧値以下になるまでに保守信号の送信し終えなければならない。そこで、本発明では、保守信号の送信完了までの時間によって、レギュレータ電圧保持時間を調整するための外部コンデンサＣ１がリセットＩＣ２に接続される。ここで、上記レギュレータ電圧の出力保持時間についての説明を図２に示すタイミングチャートを用いて説明する。なお、初期条件として、レギュレータ１には、正常のＤＣ入力（４Ｖ）が印加されているものとする。
【００２６】
図２において、リセットＩＣ２は、監視しているレギュレータ１の入力電圧が徐々に低下していき、第１の基準電圧ＲＥＴ＿Ｖ（ＤＣ３．８Ｖ）に到達した（▲１▼）ことを検出すると、Ｌレベル（０Ｖ）リセット信号を制御ＩＣ３に送出する。このとき、リセットＩＣ２は、上記リセット信号をＨレベルからＬレベルに遷移させて出力する。
【００２７】
リセットＩＣ２は、上記のようにしてＬレベルのリセット信号を出力した後、さらにレギュレータ１への入力電圧が低下していき、第２の基準電圧ＲＥＧ＿Ｖ（ＤＣ３．３Ｖ）に到達（▲２▼）するまで、レギュレータ電圧を保持（保持時間ｔ）する。制御ＩＣ３は、リセットＩＣ２からＬレベルの信号を受けると、上記保持時間ｔの範囲で保守信号を生成し送信する。なお、上記保持時間ｔは保守信号送出時間範囲ｔとも呼ばれる。
【００２８】
一方、リセットの解除は、ＤＣ４Ｖの電源が回復した後（▲３▼）、リセット解除を指示するレベル（リセット解除レベル）であるＨレベルがリセットＩＣ２から制御ＩＣ３へと出力される。
【００２９】
このように本実施形態によれば、上記レギュレータ電圧が所定時間保持されるので、電源断状態を示す保守信号の生成から送信までを確実に行なえるという効果が得られる。
【００３０】
また、上記レギュレータ電圧の保持時間ｔは、上記コンデンサＣ１の容量により変化（例：数十μｓ程度）する。すなわち、コンデンサＣ１の容量が小さい場合、レギュレータ１の入力電圧波形の傾きは急峻になる。また、コンデンサＣ１の容量が大きいと、レギュレータ１の入力電圧波形の傾きは緩やかになる。従ってＣ１の容量を変えることで、上記保持時間ｔの範囲を任意に設定できる（図３参照）。図３の▲１▼は、コンデンサＣ１の容量により、レギュレータ１の入力電圧波形の傾きが可変される様子を示した図である。同図▲２▼は、リセット信号のタイミングを示す図、同図▲３▼はレギュレータ電圧の変化を示す図である。
【００３１】
また、上記実施形態では、コンデンサＣ１の容量によりレギュレータ１の入力電圧波形の傾きを可変し、これにより上記保持時間ｔの範囲を任意に設定する場合を示したが、本実施形態はこれに限定されない。例えば、第１の基準電圧ＲＥＴ＿Ｖ（ＤＣ３．８Ｖ）と第２の基準電圧ＲＥＧ＿Ｖ（ＤＣ３．３Ｖ）を可変することにより、上記保持時間ｔの範囲を設定するようにしてもよい。
【００３２】
なお、上記コンデンサＣ１の容量を大きくした場合、レギュレータ電圧の保持時間ｔを長くすることはできるが、回路面積も大きくなるため、レギュレータ電圧の保持時間ｔを決定付けるコンデンサＣ１の容量は、回路面積とのトレードオフにて決定すればよい。本例で示した、レギュレータ電圧の保持時間ｔ（例：数十μｓ程度）は、ＴＴＣ仕様のＴＳ−１０００「光加入者線インタフェース  −１００Ｍｂｉｔ／ｓ一心ＷＤＭ方式−」の保守信号を送信し終えるに十分な時間と考えられる。
【００３３】
また、レギュレータ電圧の保持時間ｔ内で繰り返し保守信号を送信するような送信制御を制御ＩＣ３にて行なうことで、より正確に電源断状態をセンタ側に伝えることも可能である。
【００３４】
上述したように、本実施形態によれば、リセットＩＣ２は、レギュレータ１に供給されるＤＣ４Ｖ入力がＤＣ３．８Ｖまで低下した段階で、リセット信号を制御ＩＣ３に送出する。そして、このリセット信号の送出により、レギュレータ１の入力電圧がＤＣ３．３Ｖに低下するまでに電源断状態を示す警報の保守信号が制御ＩＣ３からセンタへと通知される。すなわち、電源断直前に電源断状態を示す警報がセンタに通知されるので、センタでは、ユーザ宅内に収容されるメディアコンバータの電源の状態がＯＮ→ＯＦＦ状態に遷移したことを的確に知ることができ、従来のような誤判断を回避することができる。
【００３５】
また、本発明では、レギュレータ電圧の保持時間の調整がリセットＩＣ２と、そのリセットＩＣ２に接続されるコンデンサＣ１にて行なわれるため、外部回路を構成しなくても簡易な回路構成で実現することができる。
【００３６】
上記例において、レギュレータＩＣ１がレギュレータに対応し、制御ＩＣ３の監視制御機能が監視手段、警報信号生成手段、フレーム生成手段に対応する。また、メディアコンバータ回路部４の通信部Ａ１０の保守信号出力機能が保守信号生成・通知手段、異常状態通知手段、保守信号通知制御手段に対応する。さらに、リセットＩＣ２の電圧検出制御機能が電圧検出手段、リセット信号発生手段、リセット信号保持手段に対応する。
【００３７】
【発明の効果】
以上、説明したように、本願発明によれば、レギュレータに供給される入力電圧を監視し、電源断に至る入力電圧の低下を検出したときに、その検出結果を保守信号にて相手先となるセンタに通知するようにしたため、センタにおいて電源のＯＮ→ＯＦＦ状態の遷移を的確に知ることができ、誤判断を回避することができる。
【図面の簡単な説明】
【図１】本発明の実施の一形態に係る電源断状態検出方法が適用されるメディアコンバータである。
【図２】リセット信号の出力保持時間の調整を説明するためのタイミングチャートである。
【符号の説明】
１    レギュレータＩＣ（レギュレータ）
２    リセットＩＣ
３    制御ＩＣ
４    メディアコンバータ回路部
５    ヒューズ（ＦＵＳＥ）
１０  通信部Ａ
１１  通信部Ｂ
Ｃ１  コンデンサ
【図１】
2004357488.tif 000003
【図２】
2004357488.tif 000004